【事件の表示】
　特願２０００−　８１８８５「画像信号処理装置」拒絶査定不服審判事件〔平成１３年　９月２８日出願公開、特開２００１−２６８５２７、請求項の数（３）〕について、次のとおり審決する。
【結　論】
　原査定を取り消す。
　本願の発明は、特許すべきものとする。
【理　由】
　
第一　経緯
　
１．手続
　本願は平成１２年３月２３日の出願である。 
　本件は、本願についてされた拒絶査定を不服とする平成１８年５月８日の審判の請求であり、請求後、手続補正書（平成１８年６月５日付け、明細書又は図面について請求の日から３０日以内にする補正）が提出された。 
　
２．査定
　原査定の理由は、概略、下記のとおりである。 
　　　　　記（査定の理由） 
　請求項１に係る発明は、下記刊行物に記載された発明に基づいて当業者が容易に発明をすることができたものであるから、特許法第２９条第２項の規定により、特許を受けることができない。 
　　　　　記 
　刊行物１：特開平７−２２５５６２号公報 
　刊行物２：特開平１−１１７５７５号公報 
　
第二　補正の適否
　
　平成１８年６月５日付けの補正（本件補正）の適否について検討する。
　
１．補正の内容
　本件補正は、以下の補正事項ａ及び補正事項ｂからなる。
　
（１）補正事項ａ
　特許請求の範囲について以下のとおりに補正する。
　
　（補正前）
　【請求項１】　デジタル画像信号をフレーム毎に記憶するフレームメモリと、
　このフレームメモリから読み出された複数ラインのデータを記憶するラインメモリと、
　このラインメモリに記憶されているデータを読み出し、複数種類のフォーマットの画像信号を出力するフォーマット変換手段と、
　を有し、
　前記フォーマット変換手段は、１フレームのデジタル画像信号に基づき複数種類のフォーマットの画像信号をそれぞれ１フレームずつ時分割で順次生成し、この処理を繰り返し行うことで、順次入力されてくるデジタル画像から複数種類のフォーマットの画像信号を順次生成して出力することを特徴とする画像信号処理装置。
　【請求項２】　請求項１に記載の装置において、
　前記フォーマット変換回路から出力される複数種類のフォーマットの画像信号をそれぞれ別に記憶する出力メモリを有し、
　この出力メモリから出力先の表示タイミングに合わせて複数種類のフォーマットの画像信号をそれぞれ読み出すことを特徴とする画像信号処理装置。
　【請求項３】　請求項１または２に記載の装置において、
　前記フォーマット変換回路は、ラインメモリから読み出されるデジタル画像の垂直方向のデータ数を変換する垂直フィルタと、ラインメモリから読み出されるデジタル画像の水平方向のデータ数を変換する水平フィルタと、を有し、この垂直フィルタおよび水平フィルタの機能を時分割で切り換えて複数種類のフォーマットの画像信号を順次生成することを特徴とする画像信号処理装置。
　【請求項４】　請求項３に記載の装置において、
　前記フォーマット変換回路は、複数の出力端を有し、複数種類のフォーマットの画像信号をそれぞれ対応する出力端へ切り換えて供給するスイッチを有することを特徴とする画像信号処理装置。
　
　（補正後）
　【請求項１】　デジタル画像信号をフレーム毎に記憶するフレームメモリと、
　このフレームメモリから読み出された複数ラインの画像信号を記憶するラインメモリと、
　このラインメモリに記憶されているデータを読み出し、複数種類のフォーマットの画像信号を出力するフォーマット変換手段と、
　このフォーマット変換手段から出力される複数種類のフォーマットの画像信号をそれぞれ別に記憶する出力メモリと、
　を有し、
　前記フォーマット変換手段は、ラインメモリから読み出した画像信号に基づき複数種類のフォーマットの画像信号を順次時分割で生成して、前記出力メモリに順次書き込むことで、異なったフォーマットの画像信号を１フレーム分ずつ出力メモリに得、この処理を繰り返し行うことで、順次入力されてくるデジタル画像から複数種類のフォーマットの画像信号を順次生成すると共に、
　前記出力メモリから出力先の表示タイミングに合わせて複数種類のフォーマットの画像信号をそれぞれ読み出すことを特徴とする画像信号処理装置。
　【請求項２】　請求項１に記載の装置において、
　前記フォーマット変換手段は、ラインメモリから読み出されるデジタル画像の垂直方向のデータ数を変換する垂直フィルタと、ラインメモリから読み出されるデジタル画像の水平方向のデータ数を変換する水平フィルタと、を有し、この垂直フィルタおよび水平フィルタの機能を時分割で切り換えて複数種類のフォーマットの画像信号を順次生成することを特徴とする画像信号処理装置。
　【請求項３】　請求項２に記載の装置において、
　前記フォーマット変換回路は、複数の出力端を有し、複数種類のフォーマットの画像信号をそれぞれ対応する出力端へ切り換えて供給するスイッチを有することを特徴とする画像信号処理装置。
　
（２）補正事項ｂ
　補正前の段落0013の記載を、
　「【課題を解決するための手段】
　本発明は、デジタル画像信号をフレーム毎に記憶するフレームメモリと、このフレームメモリから読み出された複数ラインの画像信号を記憶するラインメモリと、このラインメモリに記憶されているデータを読み出し、複数種類のフォーマットの画像信号を出力するフォーマット変換手段と、このフォーマット変換手段から出力される複数種類のフォーマットの画像信号をそれぞれ別に記憶する出力メモリと、を有し、前記フォーマット変換手段は、ラインメモリから読み出した画像信号に基づき複数種類のフォーマットの画像信号を順次時分割で生成して、前記出力メモリに順次書き込むことで、異なったフォーマットの画像信号を１フレーム分ずつ出力メモリに得、この処理を繰り返し行うことで、順次入力されてくるデジタル画像から複数種類のフォーマットの画像信号を順次生成すると共に、前記出力メモリから出力先の表示タイミングに合わせて複数種類のフォーマットの画像信号をそれぞれ読み出すことを特徴とする。」（補正後）と補正する。
　
２．補正の目的
　（ａ）請求項の削除
　補正事項ａは、補正前の請求項１を削除し、補正前の請求項２から補正前の請求項４までを、それぞれ、補正後の請求項１から補正後の請求項３までに繰り上げ、さらに、補正前の請求項２に限定を加えて補正後の請求項１とするものと認められる。
　（ｂ）発明特定事項の限定
　補正事項ａは、補正前の請求項１（補正前の請求項２が引用する）に記載されていた「複数ラインのデータを記憶するラインメモリ」を「複数ラインの画像信号を記憶するラインメモリ」と補正するものであり、同補正により、補正前の請求項１から請求項４までに係る発明を特定する事項であった「ラインメモリ」を技術的に限定するものである。
　また、補正事項ａは、補正前の請求項１（補正前の請求項２が引用する）に記載されていた「前記フォーマット変換手段は、１フレームのデジタル画像信号に基づき複数種類のフォーマットの画像信号をそれぞれ１フレームずつ時分割で順次生成し、この処理を繰り返し行うことで、順次入力されてくるデジタル画像から複数種類のフォーマットの画像信号を順次生成して出力することを」を、「前記フォーマット変換手段は、ラインメモリから読み出した画像信号に基づき複数種類のフォーマットの画像信号を順次時分割で生成して、前記出力メモリに順次書き込むことで、異なったフォーマットの画像信号を１フレーム分ずつ出力メモリに得、この処理を繰り返し行うことで、順次入力されてくるデジタル画像から複数種類のフォーマットの画像信号を順次生成する」と補正するものであり、同補正により、補正前の請求項１から請求項４までに係る発明を特定する事項の「フォーマット変換手段」を技術的に限定するものである。
　（ｃ）産業上の利用分野及び課題の同一
　補正前の請求項２から請求項４までに係る発明と補正後の請求項１から請求項３までに係る発明の、産業上の利用分野及び解決しようとする課題は補正事項ａにより変更されているとは認められず、同一である。
　（ｄ）まとめ
　特許請求の範囲についてする補正事項ａは、請求項の削除、特許請求の範囲の減縮を目的とするものといえるから、平成１８年改正前の特許法第１７条の２第４項の規定に適合するものである。
　
３．補正の範囲
　（ａ）記載上の根拠
　補正事項ａの、願書に最初に添付した明細書又は図面における記載上の根拠は、同明細書等の段落0013〜0015、段落0017〜0020、段落0023〜0032、図１〜２にあるといえる。
　補正事項ｂの、願書に最初に添付した明細書又は図面における記載上の根拠は、同明細書等の段落0013〜0015、段落0017〜0018、段落0023〜0032、図１〜２にあるといえる。
　（ｂ）まとめ
　補正事項ａ及び補正事項ｂは、願書に最初に添付した明細書又は図面に記載した事項の範囲内においてするものであり、平成１８年改正前の特許法第１７条の２第３項の規定の規定に適合する。
　
４．独立特許要件
　本件補正のうち特許請求の範囲についてする補正（補正事項ａ）が特許請求の範囲の減縮を目的とするものであることは前記のとおりである。
　そこで、補正後の請求項１から請求項３までに係る発明（補正後発明１などという）についてその独立特許要件を検討する。
　補正後発明１から補正後発明３までは、それぞれ、先に記載したとおりのものである（上記補正後の特許請求の範囲）。
　
（１）補正後各発明
　（ａ）主要構成
　査定で引用された上記刊行物１及び刊行物２の、いずれにも、補正後発明１から補正後発明３まで（補正後各発明という）が備える下記の主要構成は記載されていない。また、下記主要構成は上記刊行物１及び刊行物２に記載された事項から導かれるものでもない。 
　　　　　記（補正後各発明の主要構成） 
　フォーマット変換手段は、ラインメモリから読み出した画像信号に基づき複数種類のフォーマットの画像信号を順次時分割で生成して、出力メモリに順次書き込むことで、異なったフォーマットの画像信号を１フレーム分ずつ出力メモリに得、この処理を繰り返し行うことで、順次入力されてくるデジタル画像から複数種類のフォーマットの画像信号を順次生成すること。 
　（ｂ）効果等
　そして、補正後各発明は、上記主要構成を採用することにより、「フレームメモリからラインメモリへの読み出し頻度を低減することができる。」（段落0033）との効果を奏するものである。 
　（ｃ）まとめ
　以上によれば、補正後各発明は上記刊行物１及び刊行物２に記載された発明に基づいて当業者が容易に発明をすることができたものである、とすることはできない。
　
（２）刊行物１及び刊行物２の記載
　以下、上記刊行物１及び刊行物２の記載について検討する。 
　
　（ａ）刊行物１（特開平７−２２５５６２号公報) 
　（ａ１）刊行物１には、「走査変換装置」（発明の名称）に関し、次に掲げる事項が記載されている。なお、「○１」など○記号に数字を付した表記は、○記号で囲まれた数字を示す。情報処理組織の能力の事情によりこのように表記する。
　
　　（ア）「【産業上の利用分野】本発明は、コンピュータディスプレイに代表される順次走査の画像を、ＴＶ信号であるＮＴＳＣ、ＰＡＬなどの飛び越し走査の画像に変換するための装置、特に映像製作用のタイトル文字発生装置など、生成した画像をＴＶ信号に変換して表示する機器に好適な走査変換装置に関する。」(段落0001)
　　（イ）「【実施例】図２は本発明の一実施例の構成を示すものである。図２において、１１はＶＲＡＭ制御機能と外部同期機能を持つグラフィック・システム・プロセッサ（ＧＳＰ）であり、描画手段としてのＣＰＵである。１２は命令格納用のＤＲＡＭ，１３、１４は画像メモリとしての汎用の２ポートＶＲＡＭである。１５、１６は垂直補間用のラインメモリ、１７は画像メモリ１３、１４からの読み出しとラインメモリ１５、１６の読み出しおよび書き込みを制御するメモリＲ／Ｗ制御部、１８は垂直補間処理部、１９は水平補間用の１画素遅れ要素、２０は水平補間処理部、２１は補間係数テーブル、２２は垂直水平同期用の同期信号発生部、２３はＮＴＳＣ／ＰＡＬエンコーダ、２４はＤ／Ａ変換部である。
　次に、上記実施例の動作について説明する。グラフィック・システム・プロセッサ１１は、ＤＲＡＭ１２に格納された命令を順次読み出すとともに、同期信号発生部２２により同期結合され、描画時間の管理やＶＲＡＭ１３、１４のリード転送動作を司どる。ＶＲＡＭ１３、１４は、ＶＧＡの画面を２面分記憶できる。これは、Ａ面を表示している間にＢ面に描画し、Ｂ面を表示中はＡ面に描画するためである。こうすると、ＴＶ信号のフィールド単位で画像を更新できるので、動きのある映像をリアルタイムで表示可能になる。信号成分はＹＵＶで、ＵとＶは時分割多重し、水平画素数をＹの半分にしている。
　ＶＲＡＭ１３、１４からの読み出しおよび補間用のラインメモリ１５、１６へのＲ／Ｗ制御は、メモリＲ／Ｗ制御部１７が行なう。このラインメモリ１５、１６のＲ／Ｗタイミングを図３を用いて説明する。
○１：ＶＧＡの画像からＮライン目を読み出し、ラインメモリ１５に書き込む。
○２：ＶＧＡの画像からＮ＋１ライン目を読み出し、ラインメモリ１６に書き込む。
○３：○２の動作開始直後から２つのラインメモリ１５、１６のデータの読み出しを同時に開始する。ただし、書き込み速度は、読み出し速度の２倍とする。
○４：○３の読み出しが半分終了した時点で、ＶＧＡからＮ＋２ライン目を読み出し、ラインメモリ１５に書き込む。
図３に示すように、書き込みタイミングと読み出しタイミングとは交差していない。したがって、画像の時間連続性を維持したまま、順次走査線２本を同時に読み出し、垂直補間処理部１８で飛び越し走査線１本を合成することができる。
　２つのメモリ１５、１６から同時に読み出されて垂直補間処理部１８に送られた信号は、ＮＴＳＣの場合、ＶＧＡとＮＴＳＣの走査線が同じなので、フリッカを防止する意味で単純に平均をとる。ＰＡＬの場合は、丁度５：６の比になるため、図４のように、線形補間処理を行なう。本実施例では、デジタル処理を簡素化するために、ｎ／５を３ｎ／１６で近似している。
　次に、水平補間処理部２０で水平補間処理を行なう。ＶＧＡが水平６４０画素であるのに対し、ＴＶ信号の規格であるＣＣＩＲ６０１では水平が７２０画素になるためである。この比は丁度８：９になるので、図５のように、画素毎に係数を変えて線形補間処理を行なう。この処理のために１クロックの遅れ要素１９が必要になる。」 (段落0013〜0017)
　　（ウ）「また、これら垂直補間処理および水平補間処理のために、補間係数テーブル２１が必要になる。このテーブルは、ＮＴＳＣ／ＰＡＬで異なるため、外部から切り換え可能である。」(段落0018)
　　（エ）「以上の処理を終了した信号は、ＣＣＩＲ６０１に準拠したデジタル映像信号である。本実施例では、この信号をコンポジットアナログ信号にするため、ＮＴＳＣ／ＰＡＬエンコーダ２３およびＤ／Ａ変換部２４を通してＮＴＳＣ／ＰＡＬ信号を得ている。
　このように、上記実施例によれば、描画手段としてＶＲＡＭ制御機能と外部同期機能を持つグラフィック・システム・プロセッサ１１を用い、画像メモリとして２つの２ポートＶＲＡＭ１３、１４を用いているので、動きのある映像をリアルタイムで表示可能になり、画像の時間連続性を維持したまま、順次走査画像からＮＴＳＣやＰＡＬ方式へ走査変換が可能となり、コストおよびスペースの両面で大きなメリットがある。」(段落0019〜0020)
　（ａ２）上記記載によれば、刊行物１には、コンピュータディスプレイに代表される順次走査の画像を、ＴＶ信号であるＮＴＳＣ、ＰＡＬなどの飛び越し走査の画像に変換することについて記載されている。 
　刊行物１記載の発明は、一のフォーマット変換手段においてＮＴＳＣ方式やＰＡＬ方式の複数種類のフォーマットの画像信号への変換が可能ではあるものの、刊行物１にはＮＴＳＣ方式の画像及びＰＡＬ方式の画像の両方が同時に出力可能である旨の記載も示唆もなく、刊行物１記載の発明は、「複数種類のフォーマットの画像信号を順次
時分割で
　
　（ｂ）刊行物２（特開平１−１１７５７５号公報) 
　（ｂ１）刊行物２には、「テレビジョン信号処理装置」（発明の名称）に関し、次に掲げる事項が記載されている。 
　
　　（オ）「産業上の利用分野
　本発明はテレビジョン信号処理装置に関し、詳細には走査線数の異なる複数のテレビジョン信号を同一画面上に表示するいわゆるピクチャーインピクチャーのための信号処理装置に関係するものである。」（第１頁左下欄〜同頁右下欄）
　　（カ）「問題点を解決するための手段
　本発明は、走査線数Ｎ本、２：１飛越走査式の標準方式テレビ信号を、走査線数Ｎ本の順次走査式かあるいは走査線数２Ｎ本、２：１飛越走査式の信号に変換する第１走査変換回路と、走査線数Ｍ本、２：１飛越走査式のハイビジョン信号を走査線数Ｎ本の順次走査式かあるいは走査線数２Ｎ本、２：１飛越走査式の信号に変換する第２走査変換回路と、これら第１，第２走査変換回路の出力信号の何れか一方を主画面用、他方を副画面用として信号処理を行なう多重回路を有するテレビジョン信号処理装置である。」（第２頁右上欄）
　　（キ）「作　　用
　本発明は上述した構成により、配置された第１，第２走査変換回路は、それらの出力信号をともに走査線数５２５本の順次走査式もしくは１０５０本の２：１飛越走査式の信号に変換する。第１走査変換回路は入力信号であるアスペクト比４：３の標準方式のテレビ信号をフィールド内，フィールド間等を用いた走査変換処理により実効的に２倍の走査線数に変換する。第２走査変換回路は入力信号であるアスペクト比１６：９のテレビジョン信号を順次走査式あるいは２：１飛越走査式の信号に変換する場合に１１２５本の走査線の中より毎フィールド５２５本の信号を選択し、５２５本順次走査式あるいは１０５０本２：１飛越走査式の信号として送出する。多重回路は第１走査変換回路と第２走査変換回路とから供給される同一の走査線数に変換された標準方式テレビ信号とハイビジョン信号との一方を主画面用、他方に時間圧縮，画素間引き等の処理を施して副画面用となし、これらを時分割多重する。」（第２頁右上欄〜同頁左下欄）
　　（ク）「実施例
　本発明の実施例につき以下図面を参照して詳細に説明する。第１図は本発明の一実施例におけるテレビジョン信号処理装置を示したものであり、標準方式テレビ信号とハイビジョン信号とをともに走査線数５２５本の順次走査式に変換し、これらを主画面用、副画面用として合成する構成を示している。
　図において第１信号入力端子１０に供給された走査線数５２５本、２：１飛越走査式の標準方式のテレビ信号は夫々時間軸圧縮回路１０１，メモリ１０２に供給される。時間軸圧縮回路１０１は２：１飛越走査式で毎フィールド伝送される２６２．５本の走査線に対応する映像信号を順次走査式の標本走査線信号としてスイッチ１０３の一方の入力端子に供給するためにその時間軸を略１／２に圧縮する。メモリ１０２は１フィールド、すなわち走査線２６２本分の遅延を標準方式のテレビ信号に与えスイッチ１０６の一方の入力端子に第１積間走査線信号として供給する。−水平走査期間の遅延メモリ１０４，加算回路１０５は第２補間走査線信号を導線１０７を介してスイッチ１０６の他方の入力端子に供給し、これら第１，第２補間走査線信号がスイッチ１０６で走査線毎あるいは画素毎に切替えられるように構成している。この第１および第２補間走査線信号は夫々画像の動きの有無等により、動き画像部分では第１補間走査線信号を、また静止画像部分では第２補間走査線信号をスイッチ１０６が選択するように制御することによって導線１０８を介して時間軸圧縮回路１０９で略１／２に時間軸を圧縮した後、倍走査処理速度での一水平走査周期毎に切替えを行なうスイッチ１０３の他方の入力端子に補間走査線信号を供給する。これらの回路を含んでなる第１走査変換回路１００はその出力端子１１に標準方式のテレビ信号を５２５本の順次走査式に変換したものを送出するが前述した補間走査線信号の発生回路はメモリ１０２を用いずにスイッチ１０６が導線１０７を介して供給される信号を常に選択するように構成することもできる。
　第２走査変換回路２００は第２信号入力端子２０に供給されるハイビジョン信号の中より毎フィールド走査線５２５本分の信号を第１走査変換回路１００が端子１１に送出する信号と同期して導線２０２に送出するためのメモリ２０１が配置される。標準方式のテレビ信号と画像のアスペクト比が異なるハイビジョン信号に対してメモリ２０１がアスペクト比４：３あるいは１６：９の何れを送出するようになすかは適宜選択することができる。例えば本発明の信号処理装置によって処理され信号出力端子３２に送出されるテレビジョン信号をアスペクト比１６：９の表示装置に表示する場合にはメモリ２０１が走査線数１０５０本、アスペクト比１６：９で２：１飛越走査式の信号を導線２０２に送出するようになすことが望ましい。
一方、信号出力端子３２に結合されるディスプレイがアスペクト比４：３である場合には、メモリ２０１は走査線数１０５０本、アスペクト比４：３で２：１飛越走査式の信号を導線２０２に送出することか望ましいが本発明はメモリ２０１が走査線数を変換し導線２０２に出力する信号のアスペクト比を何ら限定するものではない。
　導線２０２を介してメモリ２０１より一方の入力端子に変換されたハイビジョン信号が標本走査線信号として供給されたスイッチ２０３は他方の入力端子に一水平走査期間メモリ２０４，加算回路２０５によって処理された補間走査線信号が供給され、フィールド毎、すなわち略１／６０秒毎にこれら２つの入力信号を切替えて端子２１に走査線数５２５本の順次走査式に変換したハイビジョン信号を送出する。
　２つの入力端子３０および３１に夫々順次走査式に変換されたハイビジョン信号，標準方式テレビ信号が供給されてなる多重回路３００は、これら２つの信号を入力とし、一方を導線３０１を介して信号選択回路３０２の主画面用入力端子に、他方を導線３０３，副画面処理回路３０４を介して信号選択回路３０２の副画面用入力端子に供給するためのスイッチ３０５により主画面と副画面との相互入れ替えができるように構成されている。信号選択回路３０２は上述した主画面用の信号を時分割多重し、信号出力端子３２に走査線５２５本，略６０フレームの順次走査式でハイビジョン信号と標準方式テレビ信号との合成テレビ信号を送出する。」（第２頁左下欄〜第３頁左下欄） 
　　（ケ）「第２図は本発明の他の実施例を示したものであり第１，第２走査変換回路が走査線数１０５０本、２：１飛越走査式の信号を出力するように構成したものである。
　図においては第１走査変換回路１０００は標本走査線用の時間軸圧縮回路１０１乃至補間走査線用の時間軸圧縮回路１０９からなる標準方式テレビ信号に対する順次走査変換処理と一方の入力端子にスイッチ１０３が導線１００１に送出する信号が供給され、他方の入力端子に一水平走査線期間メモリ１００２，加算回路１００３，導線１００４を介してスイッチ１０３の出力信号が供給されたスイッチ１００５はフィールド毎、すなわち略１／６０秒毎にこれら２つの入力信号を切り替え端子１１０に走査線数１０５０本、２：１飛越走査式に変換した標準方式テレビ信号を送出する。第２走査変換回路２０００はメモリ２０１によって第１図と同様にハイビジョン信号を走査線数１０５０本、２：１飛越走査式の信号に変換したものを端子２１０に送出する。２つの入力端子３００，３１０に夫々ハイビジョン信号と標準方式テレビ信号とか第２，第１走査変換回路２０００，１０００より供給された多重回路３００も第１図と同じ処理を行なって、何れか一方を主画面用、他方を副画面用として時分割多重し、信号出力端子３２０にこれらを合成したテレビ信号として送出する。」（第３頁左下欄〜第４頁左上欄） 
　　（コ）「発明の効果
　本発明によるテレビジョン信号処理装置は上述の如く走査線数が異なる標準方式テレビ信号とハイビジョン信号とをともに標準方式テレビ信号の倍走査処理信号となした後、一方を主画面用、他方を副画面用として処理し合成するものである。従って、主画面の画像の入れ替えが簡易に行なえる実用価値大なるものである。」(第４頁左上欄)
　（ｂ２）上記記載、第１図及び第２図の記載によれば、刊行物２には、標準方式テレビジョン信号とハイビジョン信号を、それぞれ別個の走査変換回路に入力して同一の走査線本数及び同一の走査方式の信号に変換し、一方を主画面用、他方を副画面用として処理し、時分割多重して一の合成信号を出力することについて記載されている。
　しかし、刊行物２記載の発明は、「一のフォーマット変換手段において複数種類のフォーマットの画像信号を時分割で生成する」ものではない。
　
　（ｃ）小括
  以上、原査定の拒絶理由で引用された刊行物１及び刊行物２のいずれにも、上記主要構成について記載も示唆もなく、刊行物１及び刊行物２に記載された発明に基いて、補正後各発明を容易に発明をすることができたものであるということはできない。
　
（３）前置報告書
　前置報告書（平成１８年９月７日付け）は、補正後各発明は下記の刊行物３及び刊行物４に記載された発明に基いて当業者が容易に発明をすることができたものであるから特許出願の際独立して特許を受けることができない、旨の報告をする。
　　　　　記
　刊行物３：特開平５−１８３８８５号公報
　刊行物４：特開平４−１８０４８２号公報
　
　そこで、上記について検討する。
　
 （ａ）刊行物３（特開平５−１８３８８５号公報) 
 （ａ１）刊行物３には、「共通の制御デ−タ流を維持したままテレヴィジョン信号フォ−マットを変換する方法とその装置」（発明の名称）に関し、次に掲げる事項が記載されている。 
　
　　（ア）「【産業上の利用分野】本発明はテレビジョン信号の分配、特に共通のコントロールデータ流を維持したままで別々のテレビジョン信号フォーマット間の変換を行う技術に関するものである。」(段落0001)
　　（イ）「テレビジョン信号としての第１のフォーマットは例えばＭＡＣ、ＰＡＬ、ＳＥＣＡＭ、ＭＴＳＣ及びＨＤＴＶテレビジョンフォーマットのいずれかとして放送され、第２のフォーマットは前記ＭＡＣ、ＰＡＬ、ＳＥＣＡＭ、ＮＴＳＣ及びＨＤＴＶテレビジョンフォーマットと異なるフォーマットの一つである。本発明は拡大実施例に第１のテレビジョン信号の第１の信号区分が一つ以上に追加フォーマットに再フォーマット化される例があげてある。第２の信号区分は一つ以上の追加テレビジョン信号とするため、追加再フォーマット化第１信号区分と結合される。この手段で第１フォーマットのテレビジョン信号は、すべて共通の制御データを持ったどんな数の別々のフォーマットに変換出来ることになる。」(段落0010)
　　（ウ）「図３は本発明による多重化フォーマット変換装置を図示したもので、第１フォーマットのテレビ信号は端子７０で入力し、受信機７２で信号をベースバンドに復調し、デコーダ７４に出力される。復調されたベースバンド信号は、テレビジョン情報を運んでいる第１信号区分とコントロールデータを運んでいる第２信号区分に別けられる。テレビジョン情報は、複数の再フォーマット化器７６，７８，８０の各々に入力する。各再フォーマット化器でテレビジョン情報を第１フォーマットから別のフォーマットへ前記第１および図２で説明したように変換する。コントロール・モジュール８２から再フォーマット化器７６，７８，８０に対しテレビジョン情報をスクランブル解除を行ったり及び（または）スクランブルをかけたりするのに必要な秘密情報を与える。データ処理回路８４は図２のデータフィルター４８及びデータエンコーダ５６と同等の回路である。」（段落0027） 
 　　（エ）「各々の再フォーマット化器の出力は、別々のフォーマットのテレビジョン情報で構成されており、それぞれ対応するマルチプレクサ８６，８８，９０に入力する。これらのマルチプレクサで再フォーマット化テレビジョン情報にデータ処理回路８４からの共通コントロールデータを結合させる。マルチプレクサ８６の出力端子９２にはあるフォーマットのテレビジョン情報と共に共通コントロールデータが含まれており、マルチプレクサ８８の出力端子９４には別のフォーマットのテレビジョン情報と共に共通コントロールデータが、マルチプレクサＮの出力端子９６には更に別のフォーマットのテレビ情報と共に共通コントロールデータが含まれている。第１フォーマットのテレビジョン信号はこの方法で如何なる数の追加フォーマットに共通するコントロールデータ流と共に変換することが可能である。
」（段落0028）
　（ａ２）上記記載によれば、刊行物３には、第１フォーマットのテレビジョン信号を、再フォーマット化器を用いて別々のフォーマットのテレビジョン信号に変換することについて記載されている。 
　しかし、記載（ウ)及び図３の記載によれば、刊行物３記載の発明は、別個の再フォーマット化器を複数用いるものであり、「一のフォーマット変換手段において複数種類のフォーマットの画像信号を時分割で生成する」との思想に基づくものではない。 
 　 
　（ｂ）刊行物４（特開平４−１８０４８２号公報） 
　（ｂ１）刊行物４には、「アスペクト比拡大装置」（発明の名称）に関し、次に掲げる事項が記載されている。
　
　　（オ）「【発明の詳細な説明】
　［発明の目的］
　（産業上の利用分野）
　この発明は、放送信号が現行方式のテレビジョン受信機にても受信できるようにワイドアスペクト比のテレビジョン信号を伝送しまた受信するシステムに適用されるアスペクト比拡大装置に関する。」（第２頁左上欄）
　　（カ）「（発明が解決しようとする課題）
　上記したようにサイドパネル方式、レターボックス方式によるテレビジョン信号が選択的に伝送されてきた場合、あるいは局により異なる方式によるテレビジョン信号を放送しているような場合を想定した受像機は従来は考えられていない。
　そこでこの発明は、レターボックス方式、サイドパネル方式のいずれの方式でテレビジョン信号が伝送されてきても、各方式に応じて適応的にワイドアスペクト化処理を行うことができ、しかも小さなハードウェア規模で実現できるアスペクト比拡大装置を提供することを目的とする。」（第３頁右上欄）
　　（キ）「第５図は、センター圧伸部１０６の具体的構成例である。時間圧伸を行う回路の文献としては、特開昭５９−６１３７号公報がある。この文献による時間圧伸方向は、ラインメモリの入力段に補間フィルタ（ＩＰＦと記す）を用いて、入力クロックと出力クロックを入れ換えることで時間圧伸を行っている。この方法は、補間フィルタの特性が十分に得られないという問題がある。そこでこの実施例では、補間フィルタを複数個用いた構成にし特性の向上を図っている。
　第５図の回路は、ラインメモリ３０８を挟んで、入力側が３／４圧伸処理を行い、出力側が４／３伸張処理を行う構成となっており、いずれか一方の処理が方式判定信号ＤＥＴにより選択される。
　入力端子３００には入力テレビジョン信号が導入され、入力端子３０１には方式判定信号ＤＥＴが入力される。
　入力テレビジョン信号は、第１の補間フィルタ３０２に直接入力され、第２の補間フィルタ３０３には１画素素遅延器３０５を介して入力され、第３の補間フィルタ３０４には１画素遅延器３０６を介して入力される。補間フィルタ３０２、３０３、３０４の出力は、セレクタ３０７に入力される。このセレクタ３０７には、セレクタ３１９を介して３／４圧縮制御回路３２２からの制御信号を選択端子に入力することができるとともに、０を入力することもできる。セレクタ３０７は、３／４圧縮制御回路３２２からの制御信号が入力されているとき（サイドパネル方式の信号処理時）は、補間フィルタ３０２、３０３、３０４の出力を順次選択してラインメモリ３０８に供給するか、０が入力されているとき（レターボックス方式の信号処理時）は補間フィルタ３０２の出力のみを選択してラインメモリ３０８に供給する。
　ラインメモリ３０８の書込みアドレスはカウンタ３２４により指定されている。ラインメモリ３０８に対する読出しアドレスは、３／４圧縮制御回路３２２（サイドパネル方式の信号処理時）または４／３伸張制御回路３２３（レターボックス方式の信号処理時）からの制御アドレスが選択的に供給されるもので、その選択は方式判定信号ＤＥＴにより制御されるセレクタ３２０により行われる。
　ラインメモリ３０８の出力は、補間フィルタ３１０に直接供給され、また補間フィルタ３１１には２画素遅延器３１５を介して供給され、補間フィルタ３１２には２画素遅延器３１６を介して供給され、補間フィルタ３１３には２画素遅延器３１７を介して供給される。補間フィルタ３１０、３１１、３１２、３１３の出力はセレクタ３１７に入力される。セレクタ３１７には、セレクタ３２１を介して４／３伸張制御回路３２３からの制御信号を選択端子に入力することができるとともに、０を入力することもできる。セレクタ３１７は、４／３伸張制御回路３２３からの制御信号が入力されているとき（レターボックス方式の信号処理時）は、補間フィルタ３１０、３１１、３１２、３１３の出力を順次選択して出力端子３１８に導出するが、０が入力されているとき（サイドパネル方式の信号処理時）は補間フィルタ３１０の出力のみを選択して出力端子３１８に導出する。
　サイドパネル方式の信号処理時は、ラインメモリ３０８の入力側が３／４圧伸処理を行い、サイドパネル方式の信号処理時は、出力側が４７３伸張処理を行う。」（第５頁右下欄〜第６頁左下欄） 
　　（ク）「［発明の効果］
　以上説明したようにこの発明によれば、レターボックス方式、サイドパネル方式のいずれの方式でテレビジョン信号が伝送されてきても、各方式に応じて適応的にワイドアスペクト化処理を行うことができ、しかも小さなハードウェア規模で実現できる。」（第７頁右上欄）
　　（ｂ２）上記記載によれば、刊行物４には、レターボックス方式、サイドパネル方式のいずれかの方式のテレビジョン信号を対象として、ラインメモリを用いてワイドアスペクト化処理を行う変換装置が記載されている。しかし、刊行物４記載のものは、レターボックス方式、サイドパネル方式のいずれかの一の方式のテレビジョン信号を元に、複数種類のフォーマットのテレビジョン信号を時分割で生成するものではない。刊行物４には、一のフォーマット変換手段において複数種類のフォーマットの画像信号を時分割で生成する趣旨の記載はない。
　
　（ｃ）小括
　以上のように、刊行物３及び刊行物４のいずれにも補正後各発明の上記主要構成について記載も示唆もないのであるから、それらを組み合わせても、補正後各発明をすることはできない。 
　
（４）他の理由
　そして、他に、補正後発明１から補正後発明３までが特許出願の際独立して特許を受けることができないとする理由は見当たらない。
　
（５）まとめ（独立特許要件）
　補正後発明１から補正後発明３までが特許出願の際独立して特許を受けることができないとする理由は見当たらないから、平成１８年改正前の特許法第１７条の２第５項の規定により準用する同法第１２６条第５項の規定に適合する。
　
４．むすび（補正の適否）
　平成１８年６月５日付けの補正は、平成１８年改正前の特許法第１７条の２第３項から第５項までの規定（第５項にあっては同項で準用する同法第１２６条第４項の規定）に適合する。
　平成１８年６月５日付けの補正を採用する。
　
第三　本願発明
　
　本願の請求項１から請求項３までに係る発明は、本願明細書及び図面（平成１７年５月２５日付け及び平成１８年６月５日付けの各手続補正書により補正された明細書及び図面）の記載からみて、それぞれ、特許請求の範囲の請求項１から請求項３までに記載したとおりのものと認める（上記補正後の特許請求の範囲と同じ）。 
　
第四　当審の判断
　
　上記のとおり、査定で引用された刊行物１及び刊行物２の、いずれにも、請求項１から請求項３までに係る発明が備える主要構成（上記補正後各発明の主要構成）は記載されておらず、また、同主要構成は刊行物１及び刊行物２に記載された事項から導かれるものでもない。
　以上によれば、本願の請求項１から請求項３までに係る発明は刊行物１及び刊行物２に記載された発明に基いて当業者が容易に発明をすることができたものである、とすることはできない。
　
第五　むすび
　
　本願については、原査定の拒絶理由を検討してもその理由によって拒絶すべきものとすることはできない。
　また、他に本願を拒絶すべき理由を発見しない。
　よって、結論のとおり審決する。